(57)【要約】【課題】  無線回線品質の急激な変動にも迅速に変調方式の切り替えを可能とし、さらに無線回線品質の判定閾値付近での変調方式の切り替えのばたつきを抑えながら、より高多値度の変調方式の選択を可能とする。【解決手段】  基地局と複数の加入者局との間で、Ｐ−ＭＰ方式およびＴＤＭＡ方式により双方向の無線通信を行い、かつ基地局と各加入者局間の無線回線品質に応じて変調方式を切り替える無線アクセスシステムにおいて、加入者局は、基地局と加入者局間の無線回線品質を判定する無線回線品質判定手段と、その判定結果を所定のタイミングで基地局へ報告する判定結果報告手段とを備え、基地局は、加入者局から報告される無線回線品質の判定結果に基づいて加入者局に対する変調方式を決定し、現在の変調方式からの切り替えを制御する変調方式制御手段を備える。【選択図】        図１
2005244821.tif 000002
【特許請求の範囲】
【請求項１】
基地局と複数の加入者局との間で、Ｐ−ＭＰ方式およびＴＤＭＡ方式により双方向の無線通信を行い、かつ基地局と各加入者局間の無線回線品質に応じて変調方式を切り替える無線アクセスシステムにおいて、
前記加入者局は、前記基地局と加入者局間の無線回線品質を判定する無線回線品質判定手段と、その判定結果を所定のタイミングで前記基地局へ報告する判定結果報告手段とを備え、
前記基地局は、前記加入者局から報告される前記無線回線品質の判定結果に基づいて前記加入者局に対する変調方式を決定し、現在の変調方式からの切り替えを制御する変調方式制御手段を備えた
ことを特徴とする無線アクセスシステム。
【請求項２】
請求項１に記載の無線アクセスシステムにおいて、
前記無線回線品質判定手段は、受信ビット数およびビット誤り検出数を計数するカウンタを有し、所定の判定周期で計数された受信ビット数ｍが閾値ａ以上であるかまたはビット誤り検出数ｎが閾値ｂ以上のときにビット誤り率ｎ／ｍを計算し、ビット誤り率が閾値ｂ／ａ以上のときに「品質劣化」と判定して前記カウンタをリセットし、ビット誤り率ｎ／ｍが閾値ｂ／ａ未満のときに「品質良好」と判定して前記カウンタをリセットし、受信ビット数ｍが閾値ａ未満かつビット誤り検出数ｎが閾値ｂ未満のときに前記カウンタをリセットせずに次の判定周期まで計数を継続する構成である
ことを特徴とする無線アクセスシステム。
【請求項３】
請求項２に記載の無線アクセスシステムにおいて、
前記無線回線品質判定手段は、前記判定周期で計数された受信ビット数ｍが閾値ａ以上かつビット誤り検出数ｎが閾値ｂ未満のときに、前記ビット誤り率を計算することなく「品質良好」と判定し、前記判定周期で検出された受信ビット数ｍが閾値ａ未満かつビット誤り検出数ｎが閾値ｂ以上のときに、前記ビット誤り率を計算することなく「品質劣化」と判定する構成である
ことを特徴とする無線アクセスシステム。
【請求項４】
請求項２または請求項３に記載の無線アクセスシステムにおいて、
前記受信ビット数、前記ビット誤り検出数、前記ビット誤り率を用いる判定に代えて、受信フレーム数、フレーム破棄検出数、フレーム破棄率（＝フレーム破棄検出数／受信フレーム数）を用いる判定とする
ことを特徴とする無線アクセスシステム。
【請求項５】
請求項２または請求項３に記載の無線アクセスシステムにおいて、
前記判定結果報告手段は、前記基地局へ報告する所定のタイミングの期間中に、「品質劣化」の判定が少なくとも１回あれば「品質劣化」を前記基地局へ報告し、「品質劣化」の判定がなくかつ「品質良好」の判定が少なくとも１回あれば「品質良好」を前記基地局へ報告し、「品質劣化」および「品質良好」の判定がなければ「判定保留」を前記基地局へ報告する構成である
ことを特徴とする無線アクセスシステム。
【請求項６】
請求項５に記載の無線アクセスシステムにおいて、
前記変調方式制御手段は、前記加入者局から所定回数連続して「品質劣化」が報告されたときに、現在の変調方式より低多値度の変調方式が用意されている場合には低多値度の変調方式へ切り替え、前記加入者局から所定回数連続して「品質良好」が報告されたときに、現在の変調方式より高多値度の変調方式が用意されている場合には高多値度の変調方式へ切り替え、その他のときに現在の変調方式を維持する構成である
ことを特徴とする無線アクセスシステム。  
【発明の詳細な説明】
【技術分野】
【０００１】
本発明は、基地局と複数の加入者局との間で、Ｐ−ＭＰ(Point To Multipoint) 方式およびＴＤＭＡ（Time Division Multiple Access)方式を用いて無線通信を行う無線アクセスシステムにおいて、基地局と各加入者局間の無線回線品質に応じて変調方式を切り替える無線アクセスシステムに関する。
【背景技術】
【０００２】
図５は、無線アクセスシステムの全体構成を示す。この無線アクセスシステムは、複数のユーザに対して固定無線アクセスサービス（ＦＷＡ：Fixed Wireless Access Service)を提供するものである。基地局１と加入者局２−１〜２−３間は、無線ＬＡＮシステムのようにＰ−ＭＰで構成され、無線回線により接続されている。基地局１はネットワーク３に接続され、加入者局２−１〜２−３はそれぞれパーソナルコンピュータ等のユーザ端末４−１〜４−３に接続され、例えばＩＰアクセスサービスの提供が可能になっている。
【０００３】
基地局１と加入者局２−１〜２−３との間は、時分割多重または周波数分割多重により双方向通信が可能になっており、共通の無線周波数、例えば26ＧHz帯が割り当てられる。
【０００４】
このような無線アクセスシステムでは、限られた帯域内において伝送効率を劣化させることなく伝送速度の高速化を図る技術として、基地局と各加入者局間の伝搬距離等の条件により異なる無線回線品質に応じて、変調方式を切り替える適応変調技術が採用されている（非特許文献１）。これにより、加入者局の移動や降雨等による電波伝搬環境の変化に対応して各加入者に対する変調方式をダイナミックに変更することにより、安定した無線回線品質を確保できるようになっている。
【０００５】
なお、基地局は、各加入者局との間の無線回線品質に応じた変調方式を決定し、各加入者局に割り当てたタイムスロットごとに対応する変調方式に切り替え、基地局と各加入者局間の通信を行うように制御する構成になっている。
【非特許文献１】IEEE Std.802.11a-1999
【発明の開示】
【発明が解決しようとする課題】
【０００６】
基地局と各加入者局間の無線回線品質を判定する手段を基地局に配置する場合には、次のような問題がある。(1) 基地局と各加入者局間の無線回線品質を同時に判定しようとすると、装置が複雑化する。(2) 基地局と各加入者局間の無線回線品質を順次判定しようとすると、各加入者局に対する判定が間欠的になるために、降雨変動等による急激な無線回線品質の変動に迅速に対応できず、無線回線品質の不安定状態が長時間継続する場合がある。
【０００７】
また、従来の無線回線品質の測定方法には、次のような問題がある。(1) 一定の測定時間で測定されるビット誤り率やフレーム廃棄率から無線回線品質を判定する場合に、トラヒック量が小さい環境で所定の判定精度を得ようとすると、それに対応する測定時間が必要になる。そのため、無線回線品質が急激に劣化した場合でも、必要とされる測定時間が経過するまでは判定結果が得られず、その間の無線回線品質が不安定になる。
【０００８】
(2) 無線回線品質の判定閾値付近では判定結果が不安定になるため、判定閾値にヒステリシスをもたせる方法がある。例えば、品質劣化の判定閾値Ａに対して品質良好の判定閾値Ｂを高くする方法がある。この場合には、無線回線品質が品質劣化と判定された後にその判定閾値Ａを少し越えただけでは品質良好とはならず、それより高い判定閾値Ｂを越えて初めて品質良好と判定することができ、品質良好の判定を確実なものにすることができる。しかし、判定閾値にヒステリシスをもたせる方法では、例えば判定閾値ＡとＢとの間で品質良好であったものが、降雨などにより一時的に判定閾値Ａを下回って品質劣化と判定された後に、天気が回復して無線回線品質が判定閾値ＡとＢとの間に戻ったとしても、当初のように品質良好と判定されない事態となる。すなわち、品質良好に対応する高多値度の変調方式から、品質劣化に対応する低多値度の変調方式に切り替わったまま、戻らないことになる。
【０００９】
本発明は、無線回線品質の急激な変動にも迅速に変調方式の切り替えを可能とし、さらに無線回線品質の判定閾値付近での変調方式の切り替えのばたつきを抑えながら、より高多値度の変調方式の選択を可能とする無線アクセスシステムを提供することを目的とする。
【課題を解決するための手段】
【００１０】
請求項１に記載の発明は、基地局と複数の加入者局との間で、Ｐ−ＭＰ方式およびＴＤＭＡ方式により双方向の無線通信を行い、かつ基地局と各加入者局間の無線回線品質に応じて変調方式を切り替える無線アクセスシステムにおいて、加入者局は、基地局と加入者局間の無線回線品質を判定する無線回線品質判定手段と、その判定結果を所定のタイミングで基地局へ報告する判定結果報告手段とを備え、基地局は、加入者局から報告される無線回線品質の判定結果に基づいて加入者局に対する変調方式を決定し、現在の変調方式からの切り替えを制御する変調方式制御手段を備える。
【００１１】
無線回線品質判定手段は、受信ビット数およびビット誤り検出数を計数するカウンタを有し、所定の判定周期で計数された受信ビット数ｍが閾値ａ以上であるかまたはビット誤り検出数ｎが閾値ｂ以上のときにビット誤り率ｎ／ｍを計算し、ビット誤り率が閾値ｂ／ａ以上のときに「品質劣化」と判定してカウンタをリセットし、ビット誤り率ｎ／ｍが閾値ｂ／ａ未満のときに「品質良好」と判定してカウンタをリセットし、受信ビット数ｍが閾値ａ未満かつビット誤り検出数ｎが閾値ｂ未満のときにカウンタをリセットせずに次の判定周期まで計数を継続する構成である（請求項２）。
【００１２】
また、無線回線品質判定手段は、判定周期で計数された受信ビット数ｍが閾値ａ以上かつビット誤り検出数ｎが閾値ｂ未満のときに、ビット誤り率を計算することなく「品質良好」と判定し、判定周期で検出された受信ビット数ｍが閾値ａ未満かつビット誤り検出数ｎが閾値ｂ以上のときに、ビット誤り率を計算することなく「品質劣化」と判定する構成である（請求項３）。
【００１３】
また、無線回線品質判定手段は、受信ビット数、ビット誤り検出数、ビット誤り率を用いた判定に代えて、受信フレーム数、フレーム破棄検出数、フレーム破棄率（＝フレーム破棄検出数／受信フレーム数）を用いる判定としてもよい（請求項４）。
【００１４】
判定結果報告手段は、基地局へ報告する所定のタイミングの期間中に、「品質劣化」の判定が少なくとも１回あれば「品質劣化」を基地局へ報告し、「品質劣化」の判定がなくかつ「品質良好」の判定が少なくとも１回あれば「品質良好」を基地局へ報告し、「品質劣化」および「品質良好」の判定がなければ「判定保留」を基地局へ報告する構成である（請求項５）。
【００１５】
変調方式制御手段は、加入者局から所定回数連続して「品質劣化」が報告されたときに、現在の変調方式より低多値度の変調方式が用意されている場合には低多値度の変調方式へ切り替え、加入者局から所定回数連続して「品質良好」が報告されたときに、現在の変調方式より高多値度の変調方式が用意されている場合には高多値度の変調方式へ切り替え、その他のときに現在の変調方式を維持する構成である（請求項６）。
【発明の効果】
【００１６】
本発明の無線アクセスシステムは、加入者局における無線回線品質の判定および判定結果に基づいて基地局で行われる変調方式の切り替え処理を簡単な構成により行うことができる。
【００１７】
特に、無線回線品質の劣化および良好の判定閾値（ｂ／ａ）が同一であるので、無線回線品質が判定閾値に近い状態であっても確実に判定できる。さらに、加入者局における無線回線品質の判定結果の推移に応じて変調方式を切り替える方式であるので、品質劣化と判定された場合や品質良好と判定された場合には、それぞれの安定度をみて変調方式を低多値度または高多値度のものに切り替えることができる。これにより、降雨等の伝搬路変化に対して迅速に変調方式の切り替えが可能になるとともに、無線回線品質の回復に伴って変調方式を元に戻す切り替えも確実に行うことができる。
【発明を実施するための最良の形態】
【００１８】
（基地局の構成例）
図１は、本発明の無線アクセスシステムにおける基地局の構成例を示す。図において、基地局は、アンテナ１０、高周波回路２０および通信制御回路３０により構成される。高周波回路２０は、受信機２１、送信機２２および送受切替器または送受共用器２３を備える。なお、双方向通信方式として時分割多重を用いる場合には送受切替器を用い、周波数分割多重を用いる場合には送受共用器を用いる。通信制御回路３０は、変復調回路３１、ＴＤＭＡ制御回路３２、ＭＡＣ層制御回路３３、通信インタフェース回路３４、監視制御回路３５、変調方式決定回路３６、変調方式対応テーブル３７およびスケジューリング回路３８を備える。
【００１９】
通信インタフェース回路３４は、ＩＰ網等のネットワークと接続される。ＭＡＣ層制御回路３３は、通信インタフェース回路３４に入出力するデータと無線パケットの変換処理を行う。ＴＤＭＡ制御回路３２は、無線フレームの生成・分解処理を行う。変復調回路３１は、ＴＤＭＡ制御回路３２から入力するベースバンド信号を変調して高周波回路２０に出力するとともに、高周波回路２０から入力する受信信号を復調してＴＤＭＡ制御回路３２に出力する。
【００２０】
高周波回路２０の送信機２２は、変復調回路３１から出力された中間周波数の信号を無線周波数に周波数変換するとともに、この高周波信号を電力増幅し、送受切替器または送受共用器２３を介してアンテナ１０から送信する。受信機２１は、アンテナ１０で受信した無線周波数の信号を送受切替器または送受共用器２３を介して入力し、増幅した後に中間周波数の信号に変換して変復調回路３１に出力する。
【００２１】
監視制御回路３５は、加入者局との監視制御情報を送受信するとともに、加入者局から送信された無線回線品質の判定結果を受信して変調方式決定回路３６に出力する。変調方式決定回路３６は、無線回線品質の判定結果に応じた変調方式を決定し、変調方式対応テーブル３７に各加入者局と対応付けて記憶する。スケジューリング回路３８は、変調方式対応テーブル３７の内容とＭＡＣ層制御回路３３から得られる送受信要求量に従って各加入者局に割り当てるタイムスロットのスケジューリングを行い、スケジューリング結果をＭＡＣ層制御回路３３に出力する。
【００２２】
（加入者局の構成例）
図２は、本発明の無線アクセスシステムにおける加入者局の構成例を示す。図において、加入者局は、アンテナ４０、高周波回路５０および通信制御回路６０により構成される。高周波回路５０は、受信機５１、送信機５２および送受切替器または送受共用器５３を備える。なお、双方向通信方式として時分割多重を用いる場合には送受切替器を用い、周波数分割多重を用いる場合には送受共用器を用いる。通信制御回路６０は、変復調回路６１、ＴＤＭＡ制御回路６２、ＭＡＣ層制御回路６３、通信インタフェース回路６４、無線回線品質測定回路６５、無線回線品質判定回路６６、監視制御回路６７を備える。
【００２３】
通信制御回路６０の通信インタフェース回路６４は、ユーザ端末と接続される。ＭＡＣ層制御回路６３は、通信インタフェース回路６４に入出力するデータと無線パケットの変換処理を行う。ＴＤＭＡ制御回路６２は、無線フレームの生成・分解処理を行う。変復調回路６１は、ＴＤＭＡ制御回路６２から入力するベースバンド信号を変調して高周波回路５０に出力するとともに、高周波回路５０から入力する受信信号を復調してＴＤＭＡ制御回路６２に出力する。
【００２４】
高周波回路５０の送信機５２は、変復調回路６１から出力された中間周波数の信号を無線周波数に周波数変換するとともに、この高周波信号を電力増幅し、送受切替器または送受共用器５３を介してアンテナ４０から送信する。受信機５１は、アンテナ４０で受信した無線周波数の信号を送受切替器または送受共用器５３を介して入力し、増幅した後に中間周波数の信号に変換して変復調回路６１に出力する。
【００２５】
通信制御回路６０の無線回線品質測定回路６５は、無線回線品質の判定材料として、所定期間ごとに受信した無線フレームの受信ビット数（受信フレーム数）およびビット誤り検出数（フレーム破棄数）を測定し、無線回線品質判定回路６６に出力する。無線回線品質判定回路６６は、所定期間における受信ビット数（受信フレーム数）およびビット誤り検出数（フレーム破棄数）をもとに無線回線品質を判定し、判定結果（品質良好または品質劣化）を監視制御回路６７に出力する。監視制御回路６７は、基地局との監視制御情報を送受信するとともに、無線回線品質判定回路６６の判定結果を基地局に送信する。
【００２６】
（無線回線品質の判定手順）
図３は、加入者局の無線回線品質判定回路６６における無線回線品質の判定手順の一例を示す。ここでは、受信ビット数およびビット誤り検出数を例に説明するが、受信フレーム数およびフレーム破棄数においても同様である。
【００２７】
無線回線品質測定回路６５は受信ビット数およびビット誤り検出数を計数するカウンタを有し、所定の判定周期ごとにそれぞれ受信ビット数ｍおよびビット誤り検出数ｎを計数する。無線回線品質判定回路６６は、判定周期ごとに計数された受信ビット数ｍおよびビット誤り検出数ｎを入力する（Ｓ０，Ｓ１）。無線回線品質判定回路６６には、受信ビット閾値ａおよびビット誤り閾値ｂが設定され、判定周期ごとの受信ビット数ｍおよびビット誤り検出数ｎに応じて無線回線品質を次のような手順で判定する。
【００２８】
判定周期ごとに入力する受信ビット数ｍと受信ビット閾値ａを比較し（Ｓ２）、ビット誤り検出数ｎとビット誤り閾値ｂを比較する（Ｓ３）。ｍ≧ａまたはｎ≧ｂであれば、ビット誤り率ｎ／ｍを計算し（Ｓ４）、ビット誤り率ｎ／ｍと閾値ｂ／ａを比較する（Ｓ５）。ｎ／ｍ≧ｂ／ａであれば「品質劣化」と判定し（Ｓ６）、ｎ／ｍ＜ｂ／ａであれば「品質良好」と判定し（Ｓ７）、それぞれの判定に応じて受信ビット数およびビット誤り検出数を計数するカウンタをリセットする。一方、ｍ＜ａかつｎ＜ｂであれば、品質判定を行わず（判定保留）、カウンタをリセットせずに次の判定周期まで計数を継続する（Ｓ８）。
【００２９】
なお、表１に示すように、ｍ≧ａかつｎ＜ｂの場合には、ビット誤り率ｎ／ｍを計算して閾値ｂ／ａと比較するまでもなく、「品質良好」と判定することができる。また、ｍ＜ａかつｎ≧ｂの場合には、同様に「品質劣化」と判定することができる。したがって、図３の手順において、ｍ≧ａかつｎ≧ｂの場合に限ってビット誤り率ｎ／ｍを計算し、閾値ｂ／ａとの比較によって品質判定を行うようにしてもよい。
【００３０】
【表１】
2005244821.tif 000003
【００３１】
このような判定手順により、無線回線品質が良好な場合には、ビット誤り検出数ｎが閾値ｂに達する前に受信ビット数ｍが閾値ａに達するので、受信ビット数ｍが閾値ａに達するまでの十分な時間をかけて「品質良好」の判定を行うことができる。例えば、トラヒック量が少ない場合には、各判定周期ごとに「判定保留」となり、判定周期を複数回経過後に「品質良好」の判定が行われることになる。一方、無線回線品質が劣化している場合には、受信ビット数ｍが閾値ａに達する前にビット誤り検出数ｎが閾値ｂに達するので、受信ビット数ｍが閾値ａに達するまで待たずに「品質劣化」の判定を行うことができる。例えば、急激に無線回線品質が劣化した場合には、１回の判定周期で「品質劣化」の判定を行うことができる。
【００３２】
ところで、以上の判定手順によれば、無線回線品質が判定されるまでの時間は、無線回線品質の変化状態やトラヒック量に応じて不定期になる。
【００３３】
一方、基地局と加入者局は１対多で接続されているために、加入者局から基地局への判定結果の送信タイミングと、加入者局の品質判定タイミングは非同期で行われることになる。すなわち、加入者局は、品質判定時点で基地局に判定結果をただちに送信することはできない。そのため、加入者局から基地局への送信タイミングの間に、品質判定が複数回行われることがあり、どの判定結果を送信するか設定しておく必要がある。表２は、その一例を示す。
【００３４】
【表２】
2005244821.tif 000004
【００３５】
基地局への前回の送信から今回の送信までの間に、「品質劣化」の判定が１回以上あれば、基地局には「品質劣化」を判定結果として送信する。
【００３６】
基地局への前回の送信から今回の送信までの間に、「品質劣化」の判定がなく、「品質良好」の判定が１回以上あれば、基地局には「品質良好」を判定結果として送信する。
【００３７】
基地局への前回の送信から今回の送信までの間に、「品質劣化」および「品質良好」の判定がなければ、基地局には「判定保留」として送信する。
【００３８】
なお、基地局への前回の送信から今回の送信までの間に、「品質劣化」および「品質良好」の判定がともに１回以上ある場合には、「品質劣化」が１回以上に該当するので、基地局には「品質劣化」を判定結果として送信する。これにより、無線回線品質が不安定な場合に、「品質良好」との判定結果が基地局に送信されて高多値度の変調方式に切り替えられる事態を回避することができる。
【００３９】
（無線回線品質の判定結果に基づく変調方式の切り替え手順）
基地局における変調方式の切り替えは、加入者局から報告された無線回線品質の判定結果と現在の変調方式に応じて行われる。その対応関係の一例を表３に示し、変調方式の決定手順の一例を図４に示す。
【００４０】
【表３】
2005244821.tif 000005
【００４１】
加入者局から報告される無線回線品質の判定結果の「品質良好」の回数ｔおよび「品質劣化」の回数ｕをリセットし（Ｓ10）、加入者局から判定周期ごとに報告される無線回線品質を入力し（Ｓ11，Ｓ12）、その無線回線品質が「判定保留」のときは加入者局からの次の報告を待つ（Ｓ13，Ｓ11）。加入者局から報告された無線回線品質の判定結果が「品質劣化」のときは、「品質良好」の回数ｔをリセットし、「品質劣化」の回数ｕを加算する（Ｓ13，Ｓ14，Ｓ15）。加入者局から報告された無線回線品質の判定結果がＵ回以上連続して「品質劣化」のときは（Ｓ16）、加入者局の現在の変調方式が高多値度の変調方式であれば低多値度の変調方式に切り替え（Ｓ17，Ｓ18）、低多値度の変調方式であればそのまま維持する（Ｓ17，Ｓ19）。
【００４２】
加入者局から報告された無線回線品質の判定結果が「品質良好」のときは、「品質劣化」の回数ｕをリセットし、「品質良好」の回数ｔを加算する（Ｓ13，Ｓ20，Ｓ21）。加入者局から報告された無線回線品質の判定結果がＴ回以上連続して「品質良好」のときは（Ｓ22）、加入者局の現在の変調方式が低多値度の変調方式であれば高多値度の変調方式に切り替え（Ｓ23，Ｓ24）、高多値度の変調方式であればそのまま維持する（Ｓ23，Ｓ19）。また、Ｓ18，Ｓ19，Ｓ24で変調方式が切り替えまたは維持になった場合には、それまでの各無線回線品質の判定回数ｔ，ｕをリセットし（Ｓ10）、加入者局からの次の報告を待つ（Ｓ11）。
【００４３】
また、変調方式が３段階以上ある場合には、その相対的な関係において１段低多値度または１段高多値度の変調方式への切り替えを行うようにすればよい。
【００４４】
また、本発明の加入者局における無線回線品質の劣化および良好の判定閾値（ｂ／ａ）が同一であり、本発明の基地局における変調方式の切り替え手順では、高多値度の変調方式から低多値度の変調方式への切り替えと、低多値度の変調方式から高多値度の変調方式への切り替えを、加入者局における無線回線品質の判定結果の回数に依存して行っている。これにより、無線回線品質が「品質劣化」の状態がＵ回連続すれば（Ｕ＝１の場合はただちに）低多値度の変調方式へ切り替える一方で、「品質劣化」の状態から無線回線品質が回復して「品質良好」の状態がＴ回連続し、安定していると判断されれば、高多値度の変調方式に確実に戻すことができる。なお、このＵ，Ｔの値を変更することにより、品質安定の判断までの時間を変更することができる。
【図面の簡単な説明】
【００４５】
【図１】本発明の無線アクセスシステムにおける基地局の構成例を示す図。
【図２】本発明の無線アクセスシステムにおける加入者局の構成例を示す図。
【図３】無線回線品質の判定手順の一例を示すフローチャート。
【図４】変調方式の決定手順の一例を示すフローチャート。
【図５】無線アクセスシステムの全体構成を示す図。
【符号の説明】
【００４６】
１０，４０  アンテナ
２０，５０  高周波回路
３０，６０  通信制御回路
２１，５１  受信機
２２，５２  送信機
２３，５３  送受切替器または送受共用器
３１，６１  変復調回路
３２，６２  ＴＤＭＡ制御回路
３３，６３  ＭＡＣ層制御回路
３４，６４  通信インタフェース回路
３５，６７  監視制御回路
３６  変調方式決定回路
３７  変調方式対応テーブル
３８  スケジューリング回路
６５  無線回線品質測定回路
６６  無線回線品質判定回路
【図１】
2005244821.tif 000006
【図２】
2005244821.tif 000007
【図３】
2005244821.tif 000008
【図４】
2005244821.tif 000009
【図５】
2005244821.tif 000010